(57)【要約】【課題】スイッチング素子のオン時間を、より正確に変更することが可能な点灯装置およびそれを用いた照明器具を提供する。【解決手段】点灯装置１０は、入力された直流電圧を所定の直流電圧に降圧する降圧チョッパ回路１と、降圧チョッパ回路１を制御する制御部２とを備えている。制御部２は、降圧チョッパ回路１におけるローサイドのスイッチング素子Ｑ１を一定の周波数でオンオフするように構成されている。制御部２は、基準電圧値を決定する演算部３と、演算部３により決定された基準電圧値とスイッチング素子Ｑ１に流れる電流に比例する電圧の平均値との差を誤差信号として出力する出力部４と、スイッチング素子Ｑ１のオン時間を決定する制御回路５とを備えている。制御回路５は、のこぎり波状の電圧信号を発振する発振器６を備えている。制御回路５は、電圧信号と誤差信号とに基づいて、スイッチング素子Ｑ１のオン時間を決定するように構成されている。【選択図】図１
2015118735.tif 000002
【特許請求の範囲】
【請求項１】
固体発光素子を具備する光源部を調光可能な点灯装置であって、
入力された直流電圧を所定の直流電圧に降圧する降圧チョッパ回路と、前記降圧チョッパ回路を制御する制御部とを備え、
前記制御部は、前記降圧チョッパ回路におけるローサイドのスイッチング素子を一定の周波数でオンオフするように構成され、
前記制御部は、前記光源部の光出力を指示する調光信号の調光レベルおよび前記光源部の順電圧に基づいて基準電圧値を決定する演算部と、前記演算部により決定された前記基準電圧値と前記スイッチング素子に流れる電流に比例する電圧の平均値との差を誤差信号として出力する出力部と、前記スイッチング素子のオン時間を決定する制御回路とを備え、
前記制御回路は、のこぎり波状の電圧信号を発振する発振器を備え、
前記制御回路は、前記発振器から発振された前記電圧信号の出力レベルと前記出力部から出力された前記誤差信号の出力レベルとに基づいて、前記スイッチング素子のオン時間を決定するように構成されている
ことを特徴とする点灯装置。
【請求項２】
前記制御回路は、前記発振器から発振された前記電圧信号の出力レベルが前記出力部から出力された前記誤差信号の出力レベルに達したとき、前記スイッチング素子をオフするように構成されている
ことを特徴とする請求項１記載の点灯装置。
【請求項３】
前記降圧チョッパ回路の高電位側の入力端への電路上に、前記降圧チョッパ回路を構成する部品の１つである第１ダイオードとは異なる第２ダイオードが設けられている
ことを特徴とする請求項１または請求項２記載の点灯装置。
【請求項４】
前記降圧チョッパ回路は、前記降圧チョッパ回路の前段に設けられた電源部から前記直流電圧が入力されるように構成され、
前記第２ダイオードは、アノードが前記電源部の高電位側に接続され、カソードが前記降圧チョッパ回路の高電位側の入力端に接続されている
ことを特徴とする請求項３記載の点灯装置。
【請求項５】
前記スイッチング素子には、前記降圧チョッパ回路を構成する部品の１つである第１ダイオードとは異なる第２ダイオードが直列に接続されている
ことを特徴とする請求項１または請求項２記載の点灯装置。
【請求項６】
前記スイッチング素子は、電界効果トランジスタであって、
前記第２ダイオードは、アノードが前記降圧チョッパ回路の高電位側に接続され、カソードが前記スイッチング素子のドレインに接続されている
ことを特徴とする請求項５記載の点灯装置。
【請求項７】
前記スイッチング素子は、電界効果トランジスタであって、
前記第２ダイオードは、アノードが前記スイッチング素子のソースに接続され、カソードが前記降圧チョッパ回路の低電位側に接続されている
ことを特徴とする請求項５記載の点灯装置。
【請求項８】
前記降圧チョッパ回路を構成する部品の１つであるインダクタには、インピーダンス素子が並列に接続されている
ことを特徴とする請求項１または請求項２記載の点灯装置。
【請求項９】
前記光源部と、前記光源部を点灯させる請求項１ないし請求項８のいずれか１項に記載の点灯装置とを備えている
ことを特徴とする照明器具。
【発明の詳細な説明】
【技術分野】
【０００１】
本発明は、点灯装置およびそれを用いた照明器具に関する。
【背景技術】
【０００２】
近年、半導体発光素子を調光可能な点灯装置およびそれを備えた照明器具が提案されている（例えば、特許文献１参照）。
【０００３】
特許文献１に記載された点灯装置８１は、図１７に示すように、直流電源回路８２、降圧チョッパ回路８３および制御回路８４を備えている。
【０００４】
降圧チョッパ回路８３は、直流電源回路８２の出力端間に直列接続されたダイオード８５およびスイッチング素子８６と、ダイオード８５の両端間において光源負荷８７と直列に接続されるインダクタ８８とを備えている。
【０００５】
スイッチング素子８６のソース端子と直流電源回路８２の負極との間には、スイッチング素子８６に流れる電流（チョッパ電流）を検出するための抵抗８９が挿入されている。
【０００６】
制御回路８４は、制御用の集積回路９０およびその周辺部品によって構成されている。集積回路９０の４番ピンＰ４は、上述のチョッパ電流を検出する端子であり、集積回路９０内に設けられた抵抗およびコンデンサからなるノイズフィルタ（図示せず）と電気的に接続されている。
【０００７】
制御回路８４は、集積回路９０の４番ピンＰ４により検出されたチョッパ電流がゼロになったとき、スイッチング素子８６をオンする。また、制御回路８４は、集積回路９０の４番ピンＰ４により検出されたチョッパ電流が予め設定された第１の所定値に達すると、スイッチング素子８６をオフする。
【先行技術文献】
【特許文献】
【０００８】
【特許文献１】特開２０１３−１１８１３３号公報
【発明の概要】
【発明が解決しようとする課題】
【０００９】
点灯装置８１において、制御回路８４は、集積回路９０の４番ピンＰ４により検出されたチョッパ電流が第１の所定値に達すると、スイッチング素子８６をオフする。そのため、点灯装置８１では、第１の所定値を変化させることによって、スイッチング素子８６のオン時間を変更することが可能となる。これにより、点灯装置８１では、光源負荷８７を調光させることが可能となる。
【００１０】
しかしながら、点灯装置８１では、集積回路９０の４番ピンＰ４が、集積回路９０内に設けられた抵抗およびコンデンサからなるノイズフィルタ（ＲＣ回路）と電気的に接続されている。これにより、点灯装置８１では、スイッチング素子８６をオフするのに遅延が発生する可能性がある。よって、点灯装置８１では、スイッチング素子８６のオン時間を、より正確に変更することが難しい。
【００１１】
本発明は、上記事由に鑑みて為されたものであり、スイッチング素子のオン時間を、より正確に変更することが可能な点灯装置およびそれを用いた照明器具を提供することを目的とする。
【課題を解決するための手段】
【００１２】
本発明の点灯装置は、固体発光素子を具備する光源部を調光可能な点灯装置であって、入力された直流電圧を所定の直流電圧に降圧する降圧チョッパ回路と、前記降圧チョッパ回路を制御する制御部とを備えている。前記制御部は、前記降圧チョッパ回路におけるローサイドのスイッチング素子を一定の周波数でオンオフするように構成されている。前記制御部は、前記光源部の光出力を指示する調光信号の調光レベルおよび前記光源部の順電圧に基づいて基準電圧値を決定する演算部と、前記演算部により決定された前記基準電圧値と前記スイッチング素子に流れる電流に比例する電圧の平均値との差を誤差信号として出力する出力部と、前記スイッチング素子のオン時間を決定する制御回路とを備えている。前記制御回路は、のこぎり波状の電圧信号を発振する発振器を備えている。前記制御回路は、前記発振器から発振された前記電圧信号の出力レベルと前記出力部から出力された前記誤差信号の出力レベルとに基づいて、前記スイッチング素子のオン時間を決定するように構成されている。
【００１３】
この点灯装置において、前記制御回路は、前記発振器から発振された前記電圧信号の出力レベルが前記出力部から出力された前記誤差信号の出力レベルに達したとき、前記スイッチング素子をオフするように構成されていることが好ましい。
【００１４】
この点灯装置において、前記降圧チョッパ回路の高電位側の入力端への電路上には、前記降圧チョッパ回路を構成する部品の１つである第１ダイオードとは異なる第２ダイオードが設けられていることが好ましい。
【００１５】
この点灯装置において、前記降圧チョッパ回路は、前記降圧チョッパ回路の前段に設けられた電源部から前記直流電圧が入力されるように構成され、前記第２ダイオードは、アノードが前記電源部の高電位側に接続され、カソードが前記降圧チョッパ回路の高電位側の入力端に接続されていることが好ましい。
【００１６】
この点灯装置において、前記スイッチング素子には、前記降圧チョッパ回路を構成する部品の１つである第１ダイオードとは異なる第２ダイオードが直列に接続されていることが好ましい。
【００１７】
この点灯装置において、前記スイッチング素子は、電界効果トランジスタであって、前記第２ダイオードは、アノードが前記降圧チョッパ回路の高電位側に接続され、カソードが前記スイッチング素子のドレインに接続されていることが好ましい。
【００１８】
この点灯装置において、前記スイッチング素子は、電界効果トランジスタであって、前記第２ダイオードは、アノードが前記スイッチング素子のソースに接続され、カソードが前記降圧チョッパ回路の低電位側に接続されていることが好ましい。
【００１９】
この点灯装置において、前記降圧チョッパ回路を構成する部品の１つであるインダクタには、インピーダンス素子が並列に接続されていることが好ましい。
【００２０】
本発明の照明器具は、前記光源部と、前記光源部を点灯させる前記点灯装置とを備えている。
【発明の効果】
【００２１】
本発明の点灯装置は、前記制御部が、前記光源部の光出力を指示する調光信号の調光レベルおよび前記光源部の順電圧に基づいて基準電圧値を決定する演算部を備えている。また、前記制御部は、前記演算部により決定された前記基準電圧値と前記スイッチング素子に流れる電流に比例する電圧の平均値との差を誤差信号として出力する出力部と、前記スイッチング素子のオン時間を決定する制御回路とを備えている。前記制御回路は、のこぎり波状の電圧信号を発振する発振器を備えている。前記制御回路は、前記発振器から発振された前記電圧信号の出力レベルと前記出力部から出力された前記誤差信号の出力レベルとに基づいて、前記スイッチング素子のオン時間を決定するように構成されている。よって、本発明の点灯装置においては、スイッチング素子のオン時間を、より正確に変更することが可能となる。
【００２２】
本発明の照明器具は、前記光源部と、前記光源部を点灯させる前記点灯装置とを備えている。よって、本発明の照明器具においては、スイッチング素子のオン時間を、より正確に変更可能な点灯装置を備えた照明器具を提供することができる。
【図面の簡単な説明】
【００２３】
【図１】実施形態１の点灯装置を備えた照明器具の回路図である。
【図２】実施形態１の点灯装置に関し、調光信号の調光レベルと基準電圧値を決定するための第１データとの相関図である。
【図３】実施形態１の点灯装置に関し、光源部の順電圧と基準電圧値を決定するための第２データとの相関図である。
【図４】実施形態１の点灯装置の動作を説明するタイミングチャートである。
【図５】実施形態１の点灯装置の動作を説明する他のタイミングチャートである。
【図６】実施形態１の照明器具における使用形態の概略断面図である。
【図７】実施形態２の点灯装置を備えた照明器具の回路図である。
【図８】実施形態１の点灯装置におけるインダクタに流れる電流に関し、第１調光モードのときの波形図である。
【図９】実施形態１の点灯装置におけるインダクタに流れる電流に関し、第２調光モードのときの波形図である。
【図１０】実施形態１の点灯装置におけるインダクタに流れる電流に関し、第３調光モードのときの波形図である。
【図１１】実施形態１の点灯装置におけるインダクタに流れる電流に関し、調光モードを変更するときの電流の変化を説明する説明図である。
【図１２】実施形態２の点灯装置におけるインダクタに流れる電流に関し、第３調光モードのときの波形図である。
【図１３】実施形態２の点灯装置におけるインダクタに流れる電流に関し、調光モードを変更するときの電流の変化を説明する説明図である。
【図１４】実施形態３の点灯装置を備えた照明器具の回路図である。
【図１５】実施形態４の点灯装置を備えた照明器具の回路図である。
【図１６】実施形態４の点灯装置におけるインダクタに流れる電流に関し、第３調光モードのときの波形図である。
【図１７】従来例の点灯装置を備えた照明器具の回路図である。
【発明を実施するための形態】
【００２４】
（実施形態１）
以下、本実施形態の点灯装置１０について、図１〜図６を参照しながら説明する。
【００２５】
点灯装置１０は、例えば、光源部２０を点灯させる点灯装置である。また、点灯装置１０は、光源部２０を調光可能に構成されている。
【００２６】
光源部２０は、例えば、複数個の固体発光素子２１（図６参照）を備えている。固体発光素子２１としては、例えば、ＬＥＤ（Light Emitting Diode）などを用いることができる。
【００２７】
固体発光素子２１としてＬＥＤを用いる場合は、例えば、ＬＥＤチップが発する光をそのまま利用するものであってもよい。また、固体発光素子２１としてＬＥＤを用いる場合は、例えば、波長変換部材によりＬＥＤチップの光の一部を波長変換して、ＬＥＤチップが発する光と波長変換部材が発する光とを混色した光を利用するものであってもよい。
【００２８】
光源部２０では、固体発光素子２１の発光色を白色としているが、この色を特に限定するものではない。また、光源部２０では、複数個の固体発光素子２１の電気的な接続関係を、直列接続としているが、これに限らず、例えば、並列接続であってもよいし、直列接続と並列接続とを組み合わせた接続であってもよい。また、光源部２０では、固体発光素子２１の個数を複数個としているが、１個であってもよい。また、光源部２０では、固体発光素子２１として、ＬＥＤを用いているが、これに限らず、例えば、半導体レーザ素子、有機エレクトロルミネッセンス素子などを用いてもよい。
【００２９】
点灯装置１０は、入力された直流電圧を所定の直流電圧に降圧する降圧チョッパ回路１と、降圧チョッパ回路１を制御する制御部２とを備えている。
【００３０】
降圧チョッパ回路１の前段には、降圧チョッパ回路１に直流電圧を供給する電源部７が設けられている。電源部７としては、例えば、直流電源などを用いることができる。なお、点灯装置１０では、電源部７を構成要件として含まない。電源部７としては、直流電源を用いているが、これに限らず、例えば、商用電源からの交流電圧を直流電圧に変換する電源装置などを用いてもよい。
【００３１】
降圧チョッパ回路１は、一対の入力端１ａ，１ｂと、スイッチング素子Ｑ１と、ダイオード（第１ダイオード）Ｄ１と、インダクタＬ１と、コンデンサ（第１コンデンサ）Ｃ１と、一対の出力端１ｃ，１ｄとを備えている。
【００３２】
入力端１ａは、電源部７の高電位側と電気的に接続される。入力端１ｂは、電源部７の低電位側と電気的に接続される。要するに、降圧チョッパ回路１は、降圧チョッパ回路１の前段に設けられた電源部７から直流電圧が入力されるように構成されている。なお、本実施形態では、電源部７の低電位側が、接地されている。
【００３３】
スイッチング素子Ｑ１としては、例えば、電界効果トランジスタなどを用いることができる。電界効果トランジスタとしては、例えば、ＭＯＳＦＥＴ（Metal Oxide Semiconductor Field Effect Transistor）などを採用することができる。点灯装置１０では、スイッチング素子Ｑ１として、例えば、ノーマリオフ型のｎチャネルＭＯＳＦＥＴを用いている。
【００３４】
第１ダイオードＤ１のカソードは、入力端１ａと電気的に接続されている。また、第１ダイオードＤ１のカソードは、第１コンデンサＣ１を介して、インダクタＬ１の一端と電気的に接続されている。インダクタＬ１の他端は、第１ダイオードＤ１のアノードと電気的に接続されている。
【００３５】
スイッチング素子Ｑ１のドレインは、ダイオードＤ１のアノードと電気的に接続されている。また、スイッチング素子Ｑ１のドレインは、インダクタＬ１の他端と電気的に接続されている。スイッチング素子Ｑ１のゲートは、制御部２と電気的に接続されている。スイッチング素子Ｑ１のソースは、抵抗（第１抵抗）Ｒ１を介して、入力端１ｂと電気的に接続されている。点灯装置１０では、スイッチング素子Ｑ１が降圧チョッパ回路１の低電位側に配置されている。すなわち、スイッチング素子Ｑ１は、ローサイドのスイッチング素子を構成している。
【００３６】
第１抵抗Ｒ１は、スイッチング素子Ｑ１に流れる電流（スイッチング素子Ｑ１のドレイン電流）を検出するための抵抗である。また、第１抵抗Ｒ１は、第１抵抗Ｒ１の両端電圧を、スイッチング素子Ｑ１のドレイン電流に比例する電圧として検出するように構成されている。なお、以下では、説明の便宜上、スイッチング素子Ｑ１のドレイン電流に比例する電圧を、検出電圧と称することもある。
【００３７】
第１コンデンサＣ１の高電位側は、出力端１ｃと電気的に接続されている。第１コンデンサＣ１の低電位側は、出力端１ｄと電気的に接続されている。点灯装置１０では、出力端１ｃに光源部２０のアノード側が電気的に接続される。また、点灯装置１０では、出力端１ｄに光源部２０のカソード側が電気的に接続される。これにより、点灯装置１０では、降圧チョッパ回路１により降圧された所定の直流電圧によって、光源部２０を点灯させることが可能となる。
【００３８】
制御部２は、スイッチング素子Ｑ１を一定の周波数（例えば、２５〔ｋＨｚ〕）でオンオフするように構成されている。具体的に説明すると、制御部２は、光源部２０の順電圧（順方向電圧）を検出する第１検出回路９と、第１抵抗Ｒ１により検出された検出電圧の平均値を検出する第２検出回路１１とを備えている。また、制御部２は、光源部２０の光出力を指示する調光信号の調光レベルおよび光源部２０の順電圧に基づいて基準電圧値を決定する演算部３と、複数個（本実施形態では、２個）の抵抗Ｒ２，Ｒ３とを備えている。また、制御部２は、演算部３により決定された基準電圧値と検出電圧の平均値との差を誤差信号として出力する出力部４と、スイッチング素子Ｑ１のオン時間を決定する制御回路５とを備えている。本実施形態において、光源部２０の順電圧は、複数個の固体発光素子２１における合計の順電圧を意味する。固体発光素子２１が１個である場合は、１個の固体発光素子２１の順電圧を意味する。なお、以下では、説明の便宜上、抵抗Ｒ２を第２抵抗Ｒ２と称し、抵抗Ｒ３を第３抵抗Ｒ３と称する。
【００３９】
第１検出回路９は、降圧チョッパ回路１の出力端１ｄ（光源部２０のカソード側）と電気的に接続されている。また、第１検出回路９は、演算部３と電気的に接続されている。また、第１検出回路９は、降圧チョッパ回路１の入力端１ａと電気的に接続されている（図示せず）。これにより、第１検出回路９は、降圧チョッパ回路１における入力端１ａと出力端１ｄとの電位差を検出することが可能となり、光源部２０の順電圧を検出することが可能となる。なお、本実施形態では、光源部２０の順電圧を検出するために、第１検出回路９を、降圧チョッパ回路１における入力端１ａと出力端１ｄとにそれぞれ電気的に接続しているが、この構成を特に限定するものではない。
【００４０】
第２検出回路１１は、第１抵抗Ｒ１により検出された検出電圧を、平均化するように構成されている。具体的に説明すると、第２検出回路１１としては、例えば、抵抗とコンデンサを備えた積分回路などを用いることができる。第２検出回路１１の入力端は、スイッチング素子Ｑ１のソースと電気的に接続されている。第２検出回路１１の出力端は、出力部４と電気的に接続されている。
【００４１】
演算部３としては、例えば、ＭＰＵ（Micro Processing Unit）などを用いることができる。演算部３は、第１検出回路９により検出された光源部２０の順電圧が入力されるように構成されている。また、演算部３は、例えば、調光器８からの調光信号が入力されるように構成されている。調光信号としては、例えば、ＰＷＭ（Pulse Width Modulation）信号などを用いることができる。ＰＷＭ信号の周波数は、例えば、１〔ｋＨｚ〕に設定されている。なお、点灯装置１０では、調光器８を構成要件として含まない。
【００４２】
演算部３は、調光器８からの調光信号の調光レベルを認識するように構成されている。調光信号としてＰＷＭ信号を用いる場合は、演算部３に、例えば、調光器８からの調光信号の１周期に対するハイレベルの期間を計時する計時部（図示せず）などが設けられる。計時部としては、例えば、演算部３として用いられるＭＰＵに内蔵されたカウンタ（図示せず）などを用いることができる。これにより、演算部３は、調光器８からの調光信号の調光レベル（オンデューティ比）を認識することが可能となる。
【００４３】
また、演算部３は、調光器８からの調光信号の調光レベルに基づいて、基準電圧値を決定するための第１データを選択するように構成されている。具体的に説明すると、演算部３に予め設けられた第１記憶部（図示せず）には、図２に示すような、調光器８からの調光信号の調光レベルと第１データとが対応付けられた第１相関データが、記憶されている。これにより、演算部３は、第１記憶部に予め記憶された第１相関データに従って、調光器８からの調光信号の調光レベルに対応する第１データを選択することが可能となる。
【００４４】
また、演算部３は、第１検出回路９により検出された光源部２０の順電圧に基づいて、基準電圧値を決定するための第２データを選択するように構成されている。具体的に説明すると、演算部３の第１記憶部には、図３に示すような、光源部２０の順電圧と第２データとが対応付けられた第２相関データが、記憶されている。これにより、演算部３は、第１記憶部に予め記憶された第２相関データに従って、第１検出回路９により検出された光源部２０の順電圧に対応する第２データを選択することが可能となる。なお、点灯装置１０では、第１相関データおよび第２相関データを、演算部３の第１記憶部に記憶させているが、これに限らない。例えば、点灯装置１０では、記憶装置などを点灯装置１０の構成要件として更に備えて、第１相関データおよび第２相関データを、この記憶装置に記憶させてもよい。
【００４５】
演算部３は、第１データと第２データとを乗算するように構成されている。また、演算部３は、第１データと第２データとを乗算した結果を、基準電圧値として決定するように構成されている。また、演算部３は、基準電圧値に対応する基準電圧信号を出力部４へ出力するように構成されている。
【００４６】
また、演算部３は、制御回路５によりスイッチング素子Ｑ１をオンさせるためのタイミング信号を制御回路５へ出力するように構成されている。タイミング信号としては、例えば、矩形波信号などを用いることができる。タイミング信号の周波数は、一定の周波数（例えば、２５〔ｋＨｚ〕）に設定されている。演算部３は、一定の周期（例えば、３２〔μｓ〕）が経過したときに、タイミング信号の出力レベルをハイレベルからローレベルにするように構成されている。なお、図４および図５中のＴzは、上記一定の周期を表している。
【００４７】
出力部４としては、例えば、誤差増幅器などを用いることができる。出力部４の非反転入力端子は、演算部３と電気的に接続されている。出力部４の反転入力端子は、第２検出回路１１と電気的に接続されている。また、出力部４の反転入力端子は、第２抵抗Ｒ２を介して、出力部４の出力端子と電気的に接続されている。出力部４の出力端子は、第３抵抗Ｒ３を介して、制御回路５と電気的に接続されている。
【００４８】
制御回路５は、スイッチング素子Ｑ１のオンオフを制御するように構成されている。制御回路５としては、例えば、降圧チョッパ回路１を制御する制御用ＩＣ（Integrated Circuit）などを用いることができる。
【００４９】
制御回路５は、スイッチング素子Ｑ１のゲートを駆動するゲートドライバ（図示せず）を備えている。ゲートドライバは、スイッチング素子Ｑ１のゲートを駆動するためのドライブ信号を、スイッチング素子Ｑ１のゲートへ出力するように構成されている。制御回路５は、スイッチング素子Ｑ１をオフ状態からオン状態にする場合、ゲートドライバからのドライブ信号の出力レベルをローレベルからハイレベルにする。また、制御回路５は、スイッチング素子Ｑ１をオン状態からオフ状態にする場合、ゲートドライバからのドライブ信号の出力レベルをハイレベルからローレベルにする。
【００５０】
また、制御回路５は、演算部３からのタイミング信号を入力する第１入力端子５ａと、出力部４からの誤差信号を入力する第２入力端子５ｂと、ゲートドライバからのドライブ信号を出力する出力端子５ｃとを備えている。第１入力端子５ａは、演算部３と電気的に接続されている。第２入力端子５ｂは、第３抵抗Ｒ３を介して、出力部４の出力端子と電気的に接続されている。出力端子５ｃは、スイッチング素子Ｑ１のゲートと電気的に接続されている。
【００５１】
制御回路５は、第１入力端子５ａに入力されたタイミング信号の出力レベルがハイレベルからローレベルになったとき、出力端子５ｃからのドライブ信号の出力レベルをローレベルからハイレベルにするように構成されている。これにより、点灯装置１０では、スイッチング素子Ｑ１をオフ状態からオン状態にすることが可能となる。
【００５２】
また、制御回路５は、のこぎり波状の電圧信号を発振する発振器６を備えている。なお、以下では、説明の便宜上、のこぎり波状の電圧信号を、のこぎり波信号と称することもある。
【００５３】
のこぎり波信号は、図４および図５中の一点鎖線で示すように、一定の周期Ｔz毎に、出力レベルが一定の割合（第１割合）で増加する第１時間Ｔ１と、出力レベルが予め設定された最小値Ｖsとなる第２時間Ｔ２とを備えた信号である。最小値Ｖsは、例えば、制御回路５として用いた制御用ＩＣに予め設けられた第２記憶部（図示せず）に、記憶されているが、これに限らない。例えば、最小値Ｖsは、上記記憶装置などに記憶されていてもよい。
【００５４】
制御回路５は、第１入力端子５ａに入力されたタイミング信号の出力レベルがハイレベルからローレベルになったとき、発振器６から発振されたのこぎり波信号の出力レベルを増加し始めるように構成されている。また、制御回路５は、発振器６から発振されたのこぎり波信号の出力レベルと出力部４から出力された誤差信号の出力レベルとに基づいて、スイッチング素子Ｑ１のオン時間Ｔon（図４および図５参照）を決定するように構成されている。具体的に説明すると、制御回路５は、発振器６から発振されたのこぎり波信号の出力レベルが出力部４から出力された誤差信号の出力レベルに達したとき、スイッチング素子Ｑ１をオフするように構成されている。これにより、点灯装置１０では、スイッチング素子Ｑ１をオン状態からオフ状態にすることが可能となる。
【００５５】
また、制御回路５は、発振器６から発振されたのこぎり波信号の出力レベルが予め設定された最大値Ｖp（図４および図５参照）に達したとき、のこぎり波信号の出力レベルを最小値Ｖsにするように構成されている。最大値Ｖpは、例えば、制御回路５として用いた制御用ＩＣの第２記憶部に、記憶されているが、これに限らない。例えば、最大値Ｖpは、上記記憶装置などに記憶されていてもよい。
【００５６】
点灯装置１０では、制御回路５として制御用ＩＣを用いているが、これに限らない。例えば、点灯装置１０では、制御回路５としてマイクロコンピュータなどを用いてもよい。制御回路５としてマイクロコンピュータを用いる場合は、演算部３として、例えば、マイクロコンピュータに予め設けられた演算装置を用いることができる。これにより、点灯装置１０では、制御回路５と演算部３とを一体に構成することが可能となり、制御回路５と演算部３とを別体に構成した場合に比べて、点灯装置１０の小型化を図ることが可能となる。
【００５７】
以下、本実施形態の点灯装置１０の動作の一例について、図４に基づいて簡単に説明する。なお、図４では、点灯装置１０が、光源部２０を所定の調光レベル（第１調光レベル）で調光させる場合の動作について説明する。
【００５８】
制御回路５は、第１入力端子５ａに入力されたタイミング信号の出力レベルがハイレベルからローレベルになったとき（図４中のｔ１，ｔ４の時点など）、出力端子５ｃからのドライブ信号の出力レベルをローレベルからハイレベルにする。よって、スイッチング素子Ｑ１は、オフ状態からオン状態となる。点灯装置１０では、スイッチング素子Ｑ１がオフ状態からオン状態になると、第１コンデンサＣ１、インダクタＬ１、スイッチング素子Ｑ１の経路で電流が流れる。これにより、点灯装置１０では、インダクタＬ１に流れる電流が経過時間に伴って増加して、インダクタＬ１に電磁エネルギーが蓄積される。
【００５９】
また、制御回路５は、第１入力端子５ａに入力されたタイミング信号の出力レベルがハイレベルからローレベルになったとき、発振器６から発振されたのこぎり波信号の出力レベルを第１割合で増加させる。
【００６０】
制御回路５は、発振器６から発振されたのこぎり波信号の出力レベルが出力部４から出力された誤差信号の出力レベルに達したとき（図４中のｔ２，ｔ５の時点など）、ゲートドライバからのドライブ信号の出力レベルをハイレベルからローレベルにする。よって、スイッチング素子Ｑ１は、オン状態からオフ状態になる。点灯装置１０では、スイッチング素子Ｑ１がオン状態からオフ状態になると、インダクタＬ１に予め蓄積された電磁エネルギーが放出されて、インダクタＬ１に流れる電流が経過時間に伴って減少する。また、点灯装置１０では、スイッチング素子Ｑ１がオン状態からオフ状態になると、第１入力端子５ａに入力されたタイミング信号の出力レベルがローレベルからハイレベルとなる。
【００６１】
また、制御回路５は、発振器６から発振されたのこぎり波信号の出力レベルが予め設定された最大値Ｖpに達したとき（図４中のｔ３，ｔ６の時点など）、のこぎり波信号の出力レベルを最小値Ｖsにする。
【００６２】
演算部３は、一定の周期Ｔzが経過したとき、タイミング信号の出力レベルをハイレベルからローレベルにする。
【００６３】
以上説明した本実施形態の点灯装置１０は、固体発光素子２１を具備する光源部２０を調光可能な点灯装置であって、入力された直流電圧を所定の直流電圧に降圧する降圧チョッパ回路１と、降圧チョッパ回路１を制御する制御部２とを備えている。制御部２は、降圧チョッパ回路１におけるローサイドのスイッチング素子Ｑ１を一定の周波数でオンオフするように構成されている。制御部２は、光源部２０の光出力を指示する調光信号の調光レベルおよび光源部２０の順電圧に基づいて基準電圧値を決定する演算部３を備えている。また、制御部２は、演算部３により決定された前記基準電圧値とスイッチング素子Ｑ１に流れる電流に比例する電圧の平均値との差を誤差信号として出力する出力部４と、スイッチング素子Ｑ１のオン時間を決定する制御回路５とを備えている。制御回路５は、のこぎり波状の電圧信号を発振する発振器６を備えている。制御回路５は、発振器６から発振された前記電圧信号の出力レベルと出力部４から出力された前記誤差信号の出力レベルとに基づいて、スイッチング素子Ｑ１のオン時間を決定するように構成されている。これにより、点灯装置１０では、従来例の点灯装置８１に比べて、スイッチング素子Ｑ１のオン時間Ｔonを、より正確に変更することが可能となる。
【００６４】
また、制御回路５は、発振器６から発振された前記電圧信号の出力レベルが出力部４から出力された前記誤差信号の出力レベルに達したとき、スイッチング素子Ｑ１をオフするように構成されている。これにより、点灯装置１０では、従来例の点灯装置８１に比べて、スイッチング素子Ｑ１のオン時間Ｔonを、より一層正確に変更することが可能となる。
【００６５】
以下、本実施形態の点灯装置１０の動作の他の一例について、図５に基づいて簡単に説明する。なお、図５では、点灯装置１０が、光源部２０を第２調光レベルで調光させる場合の動作について説明する。また、以下では、第２調光レベルが、第１調光レベルよりも小さく設定されているものとして説明する。
【００６６】
制御回路５は、第１入力端子５ａに入力されたタイミング信号の出力レベルがハイレベルからローレベルになったとき（図５中のｔ７，ｔ１０の時点など）、出力端子５ｃからのドライブ信号の出力レベルをローレベルからハイレベルにする。よって、スイッチング素子Ｑ１は、オフ状態からオン状態になる。点灯装置１０では、スイッチング素子Ｑ１がオフ状態からオン状態になると、第１コンデンサＣ１、インダクタＬ１、スイッチング素子Ｑ１の経路で電流が流れる。これにより、点灯装置１０では、インダクタＬ１に流れる電流が経過時間に伴って増加して、インダクタＬ１に電磁エネルギーが蓄積される。
【００６７】
また、制御回路５は、第１入力端子５ａに入力されたタイミング信号の出力レベルがハイレベルからローレベルになったとき、発振器６から発振されたのこぎり波信号の出力レベルを第１割合で増加させる。
【００６８】
制御回路５は、発振器６から発振されたのこぎり波信号の出力レベルが出力部４から出力された誤差信号の出力レベルに達したとき（図５中のｔ８，ｔ１１の時点など）、ゲートドライバからのドライブ信号の出力レベルをハイレベルからローレベルにする。よって、スイッチング素子Ｑ１は、オン状態からオフ状態になる。点灯装置１０では、スイッチング素子Ｑ１がオン状態からオフ状態になると、インダクタＬ１に予め蓄積された電磁エネルギーが放出されて、インダクタＬ１に流れる電流が経過時間に伴って減少する。また、点灯装置１０では、スイッチング素子Ｑ１がオン状態からオフ状態になると、第１入力端子５ａに入力されたタイミング信号の出力レベルがローレベルからハイレベルとなる。
【００６９】
また、制御回路５は、発振器６から発振されたのこぎり波信号の出力レベルが予め設定された最大値Ｖpに達したとき（図５中のｔ９，ｔ１２の時点など）、のこぎり波信号の出力レベルを最小値Ｖsにする。
【００７０】
演算部３は、一定の周期Ｔzが経過したとき、タイミング信号の出力レベルをハイレベルからローレベルにする。
【００７１】
本実施形態の点灯装置１０では、調光器８からの調光信号の調光レベルを、例えば、第１調光レベルから第２調光レベルに変化させることによって、スイッチング素子Ｑ１のオン時間ｔonを変更することが可能となる。すなわち、点灯装置１０では、出力部４から出力された誤差信号の出力レベルに応じて、スイッチング素子Ｑ１のオン時間ｔonを変更することが可能となる。
【００７２】
ところで、図１７に示す構成を備えた従来例の点灯装置８１では、制御回路８４が、集積回路９０の４番ピンＰ４により検出されたチョッパ電流に基づいて、スイッチング素子８６をオフする。集積回路９０の４番ピンＰ４は、集積回路９０内に設けられた抵抗およびコンデンサからなるノイズフィルタ（ＲＣ回路）と電気的に接続されている。これに対して、本実施形態の点灯装置１０では、制御回路５が、内蔵された発振器６から発振されたのこぎり波信号の出力レベルに基づいて、スイッチング素子Ｑ１をオフする。よって、点灯装置１０では、従来例の点灯装置８１に比べて、スイッチング素子Ｑ１をオフするのに遅延が発生するのを抑制することが可能となり、スイッチング素子Ｑ１のオン時間Ｔonを、より正確に変更することが可能となる。これにより、点灯装置１０では、従来例の点灯装置８１に比べて、より深い調光レベル（例えば、１〜５〔％〕の範囲内の調光レベル）で光源部２０を調光させることが可能となる。
【００７３】
以下、本実施形態の点灯装置１０を備えた照明器具３０の一例について、図６に基づいて簡単に説明する。
【００７４】
照明器具３０は、例えば、天井材４０に埋め込み配置される照明器具である。照明器具３０は、光源部２０と、光源部２０を点灯させる点灯装置１０と、点灯装置１０を収納する筐体３１とを備えている。
【００７５】
筐体３１は、例えば、矩形箱状に形成されている。筐体３１の材料としては、例えば、金属（例えば、鉄、アルミニウム、ステンレスなど）などを用いることができる。筐体３１は、天井材４０の上面側に配置されている。筐体３１と天井材４０との間には、スペーサ３３が介在している。スペーサ３３は、筐体３１と天井材４０との間を規定距離に保つように構成されている。
【００７６】
筐体３１の第１側壁（図６では、左側壁）には、点灯装置１０に電気的に接続された第１接続線３２を導出するための第１導出孔（図示せず）が、形成されている。点灯装置１０は、第１接続線３２を介して、出力用コネクタ３４ａと電気的に接続されている。
【００７７】
また、照明器具３０は、複数個の固体発光素子２１を実装した基板３６と、基板３６が取り付けられる器具本体３７とを備えている。
【００７８】
基板３６としては、例えば、金属ベースプリント配線板などを用いることができる。照明器具３０では、基板３６の外周形状を、例えば、円形状としている。また、照明器具３０では、基板３６の平面サイズを、器具本体３７の開口サイズよりも小さく設定している。
【００７９】
基板３６は、第２接続線３５を介して、入力用コネクタ３４ｂと電気的に接続されている。入力用コネクタ３４ｂは、出力用コネクタ３４ａと着脱自在に接続するように構成されている。照明器具３０では、出力用コネクタ３４ａと入力用コネクタ３４ｂとを接続することによって、点灯装置１０と基板３６とが電気的に接続される。
【００８０】
基板３６の第１面側（図６では、下面側）には、複数個の固体発光素子２１が実装されている。なお、図６では、複数個の固体発光素子２１のうち３個の固体発光素子２１が見えている。
【００８１】
器具本体３７は、例えば、有底円筒状に形成されている。器具本体３７の材料としては、例えば、金属（例えば、鉄、アルミニウム、ステンレスなど）などを用いることができる。
【００８２】
器具本体３７の底壁３７ａには、基板３６に電気的に接続された第２接続線３５を導出するための第２導出孔（図示せず）が、形成されている。照明器具３０では、器具本体３７の底壁３７ａの内側に、基板３６が配置されている。また、照明器具３０では、器具本体３７の底壁３７ａに、基板３６が取り付けられている。基板３６を器具本体３７の底壁３７ａに取り付ける手段としては、例えば、接着シート（図示せず）などを用いることができる。接着シートは、電気絶縁性および熱伝導性を備えているのが好ましい。
【００８３】
器具本体３７の側壁３７ｂの下端部には、外方へ延設された鍔部３７ｃが設けられている。また、器具本体３７の側壁３７ｂの下端部には、一対の取付金具（図示せず）が設けられている。一対の取付金具は、天井材４０に予め形成された埋込孔４０ａの周部を鍔部３７ｃとで挟持するように構成されている。照明器具３０では、天井材４０の埋込孔４０ａの周部を一対の取付金具と鍔部３７ｃとで挟持することによって、器具本体３７を天井材４０に埋め込み配置することが可能となる。
【００８４】
また、照明器具３０は、複数個の固体発光素子２１から放射された光を拡散する拡散板３８を備えている。拡散板３８は、器具本体３７の開口部を覆うように形成されている。拡散板３８の材料としては、透光性材料（例えば、アクリル樹脂、ガラスなど）を用いることができる。照明器具３０では、拡散板３８の形状を、例えば、円板状としている。また、照明器具３０では、器具本体３７の側壁３７ｂの下端部に、拡散板３８が着脱自在に取り付けられている。
【００８５】
以上説明した本実施形態の照明器具３０は、光源部２０と、光源部２０を点灯させる点灯装置１０とを備えている。これにより、照明器具３０では、スイッチング素子Ｑ１のオン時間Ｔonを、より正確に変更可能な点灯装置１０を備えた照明器具３０を提供することができる。
【００８６】
（実施形態２）
本実施形態の点灯装置１０は、基本構成が実施形態１と同じであり、図７に示すように、降圧チョッパ回路１の入力端１ａへの電路上に、第１ダイオードＤ１とは異なる第２ダイオードＤ２が設けられている点が実施形態１と相違する。なお、本実施形態では、実施形態１と同様の構成要素に同一の符号を付して説明を適宜省略する。
【００８７】
第２ダイオードＤ２のアノードは、電源部７の高電位側と電気的に接続されている。第２ダイオードＤ２のカソードは、降圧チョッパ回路１の入力端１ａと電気的に接続されている。要するに、第２ダイオードＤ２は、アノードが電源部７の高電位側に接続され、カソードが降圧チョッパ回路１の高電位側の入力端１ａに接続されている。
【００８８】
ところで、本願発明者は、実施形態１の点灯装置１０において、光源部２０を異なる３種類の調光レベルで調光させる場合を考えた。また、本願発明者は、異なる３種類の調光レベルを、第３調光レベル、第４調光レベル、第５調光レベルとし、各調光レベルを、第３調光レベル＞第４調光レベル＞第５調光レベルの関係式を満たすように、設定することを考えた。以下、実施形態１の点灯装置１０は、光源部２０を第３調光レベルで調光させる第１調光モードと、光源部２０を第４調光レベルで調光させる第２調光モードと、光源部２０を第５調光レベルで調光させる第３調光モードとを選択可能に構成されているものとする。この場合は、例えば、演算部３を、調光器８からの調光信号の調光レベルに基づいて、第１調光モード、第２調光モード、第３調光モードのうちのいずれか１つの調光モードを選択するように構成すればよい。なお、調光モードとは、点灯装置１０において光源部２０を調光させる動作モードを意味する。
【００８９】
実施形態１の点灯装置１０では、調光モードとして第１調光モードが選択された場合、降圧チョッパ回路１のインダクタＬ１に流れる電流が、図８に示すように、一定の周期Ｔz毎に変化する。図８中のＴcは、インダクタＬ１に電磁エネルギーが蓄積される蓄積時間を表している。また、図８中のＴdは、インダクタＬ１に予め蓄積された電磁エネルギーが放出される放出時間を表している。また、図８中のＴsは、インダクタＬ１において電磁エネルギーが蓄積および放出されない休止時間を表している。
【００９０】
また、実施形態１の点灯装置１０では、調光モードとして第２調光モードが選択された場合、降圧チョッパ回路１のインダクタＬ１に流れる電流が、図９に示すように、一定の周期Ｔz毎に変化する。図９中のＴcは、インダクタＬ１に電磁エネルギーが蓄積される蓄積時間を表している。また、図９中のＴdは、インダクタＬ１に予め蓄積された電磁エネルギーが放出される放出時間を表している。また、図９中のＴsは、インダクタＬ１において電磁エネルギーが蓄積および放出されない休止時間を表している。
【００９１】
また、実施形態１の点灯装置１０では、調光モードとして第３調光モードが選択された場合、降圧チョッパ回路１のインダクタＬ１に流れる電流が、図１０に示すように、一定の周期Ｔz毎に変化する。図１０中のＴcは、インダクタＬ１に電磁エネルギーが蓄積される蓄積時間を表している。また、図１０中のＴdは、インダクタＬ１に予め蓄積された電磁エネルギーが放出される放出時間を表している。また、図１０中のＴsは、インダクタＬ１において電磁エネルギーが蓄積および放出されない休止時間を表している。
【００９２】
実施形態１の点灯装置１０では、光源部２０を調光させる場合、例えば、インダクタＬ１と第１コンデンサＣ１のＬＣ回路に起因して、図８〜図１０に示すように、一定の周期Ｔzにおける休止時間ＴsにおいてインダクタＬ１に流れる電流が変動する可能性がある。
【００９３】
ここで、本願発明者は、実施形態１の点灯装置１０において、調光モードが変更されるとき、光源部２０から放射された光のちらつきが発生するのを防止するために、インダクタＬ１に流れる電流を一定の割合（第２割合）で変化させることを考えた。具体的に説明すると、本願発明者は、実施形態１の点灯装置１０において、例えば、調光モードが、第１調光モードから第２調光モードに変更されるとき、インダクタＬ１に流れる電流を第２割合で減少させることを考えた。
【００９４】
しかしながら、実施形態１の点灯装置１０では、光源部２０を調光させる場合、インダクタＬ１に流れる電流が、一定の周期Ｔzにおける休止時間Ｔsのときに、変動する可能性がある。これにより、実施形態１の点灯装置１０では、調光モードが変更されるとき、図１１に示すように、インダクタＬ１に流れる電流が段階的に変化する可能性がある。よって、実施形態１の点灯装置１０では、調光モードが変更されるとき、光源部２０から放射された光のちらつきが発生する可能性がある。なお、図１１中のＨ１は、調光モードとして第１調光モードが選択されている期間を表している。また、図１１中のＨ２は、調光モードとして第２調光モードが選択されている期間を表している。また、図１１中のＨ３は、調光モードとして第３調光モードが選択されている期間を表している。また、図１１中のＨ０は、調光モードが変更される期間を表している。
【００９５】
本実施形態の点灯装置１０は、実施形態１の点灯装置１０と同様に、光源部２０を調光させる調光モードとして、第１調光モードと、第２調光モードと、第３調光モードとを選択可能に構成されている。また、本実施形態の点灯装置１０では、降圧チョッパ回路１の入力端１ａへの電路上に、第２ダイオードＤ２が設けられている。第２ダイオードＤ２は、アノードが電源部７の高電位側に接続され、カソードが降圧チョッパ回路１の入力端１ａに接続されている。これにより、点灯装置１０では、インダクタＬ１と、電源部７に並列接続された第２コンデンサ（図示せず）とのＬＣ回路に起因して、インダクタＬ１に流れる電流が一定の周期Ｔzにおける休止時間Ｔsで変動するのを、実施形態１の点灯装置１０に比べて抑制することが可能となる（図１２参照）。よって、点灯装置１０では、調光モードが変更されるとき、図１３に示すように、インダクタＬ１に流れる電流を第２割合で変化させることが可能となる。しかして、本実施形態の点灯装置１０では、調光モードが変更されるとき、実施形態１の点灯装置１０に比べて、光源部２０から放射された光のちらつきが発生するのを防止することが可能となる。なお、図１２は、本実施形態の点灯装置１０において、調光モードとして第３調光モードが選択された場合のインダクタＬ１に流れる電流の変化を表している。また、図１２中のＴcは、インダクタＬ１に電磁エネルギーが蓄積される蓄積時間を表している。また、図１２中のＴdは、インダクタＬ１に予め蓄積された電磁エネルギーが放出される放出時間を表している。また、図１３中のＨ１は、調光モードとして第１調光モードが選択されている期間を表している。また、図１３中のＨ２は、調光モードとして第２調光モードが選択されている期間を表している。また、図１３中のＨ３は、調光モードとして第３調光モードが選択されている期間を表している。また、図１３中のＨ０は、調光モードが変更される期間を表している。
【００９６】
本実施形態の点灯装置１０では、降圧チョッパ回路１の入力端１ａへの電路上に、第２ダイオードＤ２を設けているが、第２ダイオードＤ２の位置はこれに限らない。例えば、点灯装置１０では、降圧チョッパ回路１の入力端１ａと、第１ダイオードＤ１のカソードおよび第１コンデンサＣ１の高電位側の接続点Ｐ１との間の電路上に、第２ダイオードＤ２を設けてもよい。この場合、第２ダイオードＤ２は、アノードが降圧チョッパ回路１の入力端１ａと電気的に接続され、カソードが接続点Ｐ１と電気的に接続される。
【００９７】
また、本実施形態の点灯装置１０は、例えば、実施形態１の照明器具３０に適用してもよい。
【００９８】
以上説明した本実施形態の点灯装置１０では、降圧チョッパ回路１の高電位側の入力端１ａへの電路上に、降圧チョッパ回路１を構成する部品の１つである第１ダイオードＤ１とは異なる第２ダイオードＤ２が設けられている。降圧チョッパ回路１は、降圧チョッパ回路１の前段に設けられた電源部７から直流電圧が入力されるように構成されている。第２ダイオードＤ２は、アノードが電源部７の高電位側に接続され、カソードが降圧チョッパ回路１の高電位側の入力端１ａに接続されている。これにより、本実施形態の点灯装置１０では、実施形態１の点灯装置１０に比べて、光源部２０から放射された光のちらつきが発生するのを防止することが可能となる。
【００９９】
（実施形態３）
本実施形態の点灯装置１０は、基本構成が実施形態１と同じであり、図１４に示すように、スイッチング素子Ｑ１に、第１ダイオードＤ１とは異なる第２ダイオードＤ２が直列に接続されている点が実施形態１と相違する。なお、本実施形態では、実施形態１と同様の構成要素に同一の符号を付して説明を適宜省略する。
【０１００】
第２ダイオードＤ２のアノードは、第１ダイオードＤ１のアノードと電気的に接続されている。また、第２ダイオードＤ２のアノードは、インダクタＬ１の他端と電気的に接続されている。第２ダイオードＤ２のカソードは、スイッチング素子Ｑ１のドレインと電気的に接続されている。要するに、第２ダイオードＤ２は、アノードが降圧チョッパ回路１の高電位側に接続され、カソードがスイッチング素子Ｑ１のドレインに接続されている。
【０１０１】
本実施形態の点灯装置１０は、実施形態２の点灯装置１０と同様に、光源部２０を調光させる調光モードとして、第１調光モードと、第２調光モードと、第３調光モードとを選択可能に構成されている。また、本実施形態の点灯装置１０では、スイッチング素子Ｑ１に、第２ダイオードＤ２が直列に接続されている。第２ダイオードＤ２は、アノードが降圧チョッパ回路１の高電位側に接続され、カソードがスイッチング素子Ｑ１のドレインに接続されている。これにより、点灯装置１０では、インダクタＬ１とスイッチング素子Ｑ１の寄生容量（図示せず）とのＬＣ回路に起因して、インダクタＬ１に流れる電流が休止時間Ｔsで変動するのを、実施形態１の点灯装置１０に比べて抑制することが可能となる（図１２参照）。よって、本実施形態の点灯装置１０でも、調光モードが変更されるとき、インダクタＬ１に流れる電流を第２割合で変化させることが可能となる（図１３参照）。しかして、本実施形態の点灯装置１０でも、調光モードが変更されるとき、実施形態１の点灯装置１０に比べて、光源部２０から放射された光のちらつきが発生するのを防止することが可能となる。
【０１０２】
本実施形態の点灯装置１０では、第２ダイオードＤ２のアノードが降圧チョッパ回路１の高電位側に接続され、第２ダイオードＤ２のカソードがスイッチング素子Ｑ１のドレインに接続されているが、これに限らない。例えば、点灯装置１０では、第２ダイオードＤ２のアノードがスイッチング素子Ｑ１のソースに接続され、第２ダイオードＤ２のカソードが降圧チョッパ回路１の低電位側に接続されていてもよい。具体的に説明すると、第２ダイオードＤ２は、アノードがスイッチング素子Ｑ１のソースと電気的に接続され、カソードが第１抵抗Ｒ１および第２検出回路１１の接続点Ｐ２と電気的に接続されていてもよい。
【０１０３】
また、本実施形態の点灯装置１０は、例えば、実施形態１の照明器具３０に適用してもよい。
【０１０４】
以上説明した本実施形態の点灯装置１０では、スイッチング素子Ｑ１に、降圧チョッパ回路１を構成する部品の１つである第１ダイオードＤ１とは異なる第２ダイオードＤ２が直列に接続されている。スイッチング素子Ｑ１は、電界効果トランジスタである。第２ダイオードＤ２は、アノードが降圧チョッパ回路１の高電位側に接続され、カソードがスイッチング素子Ｑ１のドレインに接続されている。これにより、本実施形態の点灯装置１０でも、実施形態１の点灯装置１０に比べて、光源部２０から放射された光のちらつきが発生するのを防止することが可能となる。
【０１０５】
また、本実施形態の点灯装置１０における第２ダイオードＤ２は、アノードがスイッチング素子Ｑ１のソースに接続され、カソードが降圧チョッパ回路１の低電位側に接続されている構成であってもよい。よって、この点灯装置１０でも、実施形態１の点灯装置１０に比べて、光源部２０から放射された光のちらつきが発生するのを防止することが可能となる。
【０１０６】
（実施形態４）
本実施形態の点灯装置１０は、基本構成が実施形態１と同じであり、図１５に示すように、インダクタＬ１に、インピーダンス素子Ｚ１が並列に接続されている点が実施形態１と相違する。なお、本実施形態では、実施形態１と同様の構成要素に同一の符号を付して説明を適宜省略する。
【０１０７】
インピーダンス素子Ｚ１としては、例えば、抵抗（第４抵抗）Ｒ４などを用いることができる。
【０１０８】
本実施形態の点灯装置１０は、実施形態２および実施形態３の点灯装置１０と同様に、光源部２０を調光させる調光モードとして、第１調光モードと、第２調光モードと、第３調光モードとを選択可能に構成されている。また、本実施形態の点灯装置１０では、インダクタＬ１にインピーダンス素子Ｚ１が並列に接続されている。これにより、本実施形態の点灯装置１０では、一定の周期Ｔzにおける休止時間Ｔsで発生するインダクタＬ１に流れる電流を、インピーダンス素子Ｚ１に流すことが可能となる。よって、本実施形態の点灯装置１０では、インダクタＬ１と第１コンデンサＣ１とのＬＣ回路に起因して、一定の周期Ｔzにおける休止時間Ｔsで発生するインダクタＬ１に流れる電流の変動を、図１６に示すように、実施形態１の点灯装置１０に比べて、早く減衰させることが可能となる。言い換えれば、本実施形態の点灯装置１０では、インダクタＬ１と第１コンデンサＣ１とのＬＣ回路に起因して、インダクタＬ１に流れる電流が休止時間Ｔsで変動するのを、実施形態１の点灯装置１０に比べて抑制することが可能となる。よって、本実施形態の点灯装置１０では、調光モードが変更されるとき、インダクタＬ１に流れる電流を第２割合で変化させることが可能となる（図１３参照）。しかして、本実施形態の点灯装置１０でも、調光モードが変更されるとき、実施形態１の点灯装置１０に比べて、光源部２０から放射された光のちらつきが発生するのを防止することが可能となる。なお、図１６は、本実施形態の点灯装置１０において、調光モードとして第３調光モードが選択された場合のインダクタＬ１に流れる電流の変化を表している。また、図１６中の破線は、実施形態１の点灯装置１０において、調光モードとして第３調光モードが選択された場合のインダクタＬ１に流れる電流の変化を表している。また、図１６中のＴcは、インダクタＬ１に電磁エネルギーが蓄積される蓄積時間を表している。また、図１６中のＴdは、インダクタＬ１に予め蓄積された電磁エネルギーが放出される放出時間を表している。
【０１０９】
本実施形態の点灯装置１０では、インピーダンス素子Ｚ１として、第４抵抗Ｒ４を用いているが、これに限らない。例えば、本実施形態の点灯装置１０では、インピーダンス素子Ｚ１として、抵抗とコンデンサとを組み合わせたインピーダンス回路（例えば、抵抗とコンデンサとの並列回路など）などを用いてもよい。
【０１１０】
また、本実施形態の点灯装置１０は、例えば、実施形態１の照明器具３０に適用してもよい。
【０１１１】
以上説明した本実施形態の点灯装置１０では、降圧チョッパ回路１を構成する部品の１つであるインダクタＬ１に、インピーダンス素子Ｚ１が並列に接続されている。これにより、本実施形態の点灯装置１０でも、実施形態１の点灯装置１０に比べて、光源部２０から放射された光のちらつきが発生するのを防止することが可能となる。
【符号の説明】
【０１１２】
１  降圧チョッパ回路
１ａ  入力端（高電位側の入力端）
２  制御部
３  演算部
４  出力部
５  制御回路
６  発振器
７  電源部
１０  点灯装置
２０  光源部
２１  固体発光素子
３０  照明器具
Ｄ１  第１ダイオード
Ｄ２  第２ダイオード
Ｌ１  インダクタ
Ｑ１  スイッチング素子
Ｔon  オン時間
Ｚ１  インピーダンス素子
【図１】
2015118735.tif 000003
【図２】
2015118735.tif 000004
【図３】
2015118735.tif 000005
【図４】
2015118735.tif 000006
【図５】
2015118735.tif 000007
【図６】
2015118735.tif 000008
【図７】
2015118735.tif 000009
【図８】
2015118735.tif 000010
【図９】
2015118735.tif 000011
【図１０】
2015118735.tif 000012
【図１１】
2015118735.tif 000013
【図１２】
2015118735.tif 000014
【図１３】
2015118735.tif 000015
【図１４】
2015118735.tif 000016
【図１５】
2015118735.tif 000017
【図１６】
2015118735.tif 000018
【図１７】
2015118735.tif 000019